(57)【要約】      （修正有）【課題】パワーリザーブを改善させる計時器用ムーブメントを提供する。【解決手段】第１の列２０によって第１のエネルギー源１に接続される第１の調整メンバー２と第１のエスケープと、第２の列３０によって第２のエネルギー源５に接続される第２の調整メンバー３と第２のエスケープと、少なくとも１つの差動ギヤ４と、及び現在時刻を表示する手段とを有する計時器用ムーブメントに関する。第１の列２０、第１のエスケープ、第１の調整メンバー２及び第１のエネルギー源１は、第１のアセンブリーを定め、第２の列３０、第２のエスケープ、第２の調整メンバー３及び第２のエネルギー源５は、第２のアセンブリーを定め、少なくとも１つの差動ギヤ４は、第１のアセンブリーと第２のアセンブリーの間の運動学的接続を確実にするように設けられる。【選択図】図１
2018173402.tif 000002
【特許請求の範囲】
【請求項１】
第１の列（１０）によって第１のエネルギー源（１）に接続される第１の調整メンバー（２）と第１のエスケープと、
第２の列（２０）によって第２のエネルギー源（５）に接続される第２の調整メンバー（３）と第２のエスケープと、
少なくとも１つの差動ギヤ（４）と、及び
現在時刻を表示する手段と
を有する計時器用ムーブメント（１００）であって、
前記第１の列、前記第１のエスケープ、前記第１の調整メンバー及び前記第１のエネルギー源は、第１のアセンブリーを定め、
前記第２の列、前記第２のエスケープ、前記第２の調整メンバー及び前記第２のエネルギー源は、第２のアセンブリーを定め、
前記少なくとも１つの差動ギヤ（４）は、前記第１のアセンブリーと前記第２のアセンブリーの間の運動学的接続を確実にするように設けられ、
当該計時器用ムーブメント（１００）は、前記第１の調整メンバーと前記第２の調整メンバーの一方の動作を停止して許可する手段を有し、
前記差動ギヤ（４）は、どの調整メンバーが動作しているかどうかにかかわらず時刻を表示するために前記現在時刻表示手段を担持している
ことを特徴とする計時器用ムーブメント（１００）。
【請求項２】
前記差動ギヤ（４）は、前記第１の列と前記第２の列の間の運動学的接続を確実にするように設けられる
ことを特徴とする請求項１に記載の計時器用ムーブメント（１００）。
【請求項３】
前記調整メンバーは、同じタイプの調整メンバーである
ことを特徴とする請求項１又は２に記載の計時器用ムーブメント（１００）。
【請求項４】
前記調整メンバーどうしは、異なるタイプの調整メンバーである
ことを特徴とする請求項１又は２に記載の計時器用ムーブメント（１００）。
【請求項５】
前記調整メンバーの少なくとも１つは、トゥールビヨン又はカルーセルである
ことを特徴とする請求項１〜４のいずれかに記載の計時器用ムーブメント（１００）。
【請求項６】
前記調整メンバーの少なくとも１つは、伝統的なばね仕掛けバランス又は水晶である
ことを特徴とする請求項１〜４のいずれかに記載の計時器用ムーブメント（１００）。
【請求項７】
前記エスケープの少なくとも１つは、エネルギー消費が非常に低いエスケープである
ことを特徴とする請求項１〜６のいずれかに記載の計時器用ムーブメント（１００）。
【請求項８】
前記調整メンバーの１つの動作を停止して許可する手段は、マニュアル制御される
ことを特徴とする請求項１〜７のいずれかに記載の計時器用ムーブメント（１００）。
【請求項９】
前記調整メンバーの１つの動作を停止して許可する手段は、マニュアル制御によってアクチュエートされるように構成している第１のレバー（７４）を有し、
前記第１のレバー（７４）は、前記第１の列（２０）又は前記第２の列（３０）と係り合うように動くように構成している２つの摩擦メンバー（７１、７２）を備える第２のレバー（７０）に作用する
ことを特徴とする請求項１〜８のいずれかに記載の計時器用ムーブメント（１００）。
【請求項１０】
前記調整メンバーの１つの動作を停止して許可する手段は、第３のレバー（７３）を有し、前記第３のレバー（７３）は、一方では、マニュアル制御がアクチュエートされているときに前記第２のレバー（７０）と連係するように構成しており、他方では、回転錘か回転しているときにその回転錘と連係するように構成している
ことを特徴とする請求項１〜８のいずれかに記載の計時器用ムーブメント（１００）。
【請求項１１】
請求項１〜１０のいずれかに記載の計時器用ムーブメント（１００）を有する
ことを特徴とする計時器。
【発明の詳細な説明】
【技術分野】
【０００１】
本発明は、腕時計が着用されていないときや安静位置にあるときにムーブメントのエネルギー消費を抑えるためにパワーリザーブ延長デバイスを有する計時器用ムーブメントに関する。
【背景技術】
【０００２】
機械式腕時計において、歯車列、針、他の機能を駆動するエネルギー源は、通常、バレル内にて巻かれたらせん状のばねである。
【０００３】
機械式腕時計が定期的に巻かれていなかったり、自動巻き式の腕時計が数時間着用されていなかったりすると、腕時計のばねが完全に緩み、その腕時計が止まる。メインばねが完全に巻かれた通常の腕時計の平均的なパワーリザーブは、約４０〜６０時間である。
【０００４】
腕時計が止まるまでに腕時計がエネルギーを放つ理由がいくつかある。特に、しばらく腕時計を着用していないとき（保管しているとき、週末など）、又は自動巻きの機構がない腕時計において腕時計を巻くことを忘れたような場合である。したがって、腕時計のパワーリザーブが平均よりも大きいと有用である。
【０００５】
過去に、パワーリザーブの問題を克服する試みが既になされている。例えば、欧州特許出願ＥＰ２４５５８２０は、内部に２つの重なり合った同軸のばねが取り付けられているバレルを有する駆動メンバーを用いることを提案している。
【０００６】
この文献は、２つのバレル又は２つのメインばねを有する腕時計の例を与えているだけである。同様な文献が多くあるからである。
【０００７】
パワーリザーブを増加させるという課題を克服するためのこのような提案されている解決策は、あまり興味深くない。利用可能な空間を犠牲にしてパワーリザーブを優先させているからである。
【発明の概要】
【発明が解決しようとする課題】
【０００８】
本発明は、これらの既知の技術の様々な課題を克服することを目的とする。
【０００９】
特に、着用されていないときや安静位置にあるときにムーブメントのエネルギー消費を抑えることによってパワーリザーブを改善させる計時器用ムーブメントを提供することは、本発明の目的の１つである。
【００１０】
また、少なくとも特定の実施形態において、ムーブメントの厚み、したがって、腕時計の厚み、が過度に大きくなることを避けることも、本発明の目的の１つである。
【課題を解決するための手段】
【００１１】
これらの目的は、以下においてより明確に出現する他の目的とともに、本発明に係る計時器用ムーブメントによって達成される。当該計時器用ムーブメントは、第１の列によって第１のエネルギー源に接続される第１の調整メンバーと第１のエスケープと、第２の列によって第２のエネルギー源に接続される第２の調整メンバーと第２のエスケープと、少なくとも１つの差動ギヤと、及び現在時刻を表示する手段とを有する。前記第１の列、前記第１のエスケープ、前記第１の調整メンバー及び前記第１のエネルギー源は、第１のアセンブリーを定め、前記第２の列、前記第２のエスケープ、前記第２の調整メンバー及び前記第２のエネルギー源は、第２のアセンブリーを定め、前記少なくとも１つの差動ギヤは、前記第１のアセンブリーと前記第２のアセンブリーの間の運動学的接続を確実にするように設けられる。
【００１２】
本発明によると、計時器用ムーブメントは、２つの調整メンバーの１つの動作を停止して許可する手段を有し、また、差動装置は、どの調整メンバーが動作しているかどうかにかかわらず時刻を表示するために時刻表示手段を担持している。
【００１３】
このように、本発明の主題は、上記の異なる機能的及び構造的な特徴によって、パワーリザーブを増加させることを可能にする。
【００１４】
本発明の他の好ましい態様によると、以下の特徴を有する。
−  差動装置は、第１の列と第２の列の間の運動学的接続を確実にするように構成している。
−  調整メンバーどうしは同じタイプの調整メンバーである。
−  調整メンバーどうしは異なるタイプの調整メンバーである。
−  少なくとも１つの調整メンバーは、トゥールビヨン又はカルーセルである。
−  エスケープの少なくとも１つは、エネルギー消費が非常に低いエスケープである。
−  前記調整メンバーの動作を停止して許可する手段は、マニュアル制御される。
−  前記調整メンバーの動作を停止して許可する手段は、マニュアル制御によってアクチュエートされるように構成している第１のレバーを有し、この第１のレバーは、第１の列又は第２の列と係り合うように動くように構成している２つの摩擦メンバーを備える第２のレバーに作用する。
−  前記調整メンバーの動作を停止して許可する手段は、第３のレバーを有しており、この第３のレバーは、一方では、マニュアル制御がアクチュエートされているときに第２のレバーと連係し、他方では、回転錘が回転しているときに回転錘と連係するように構成している。
【００１５】
本発明は、さらに、本発明に係るムーブメントを備える計時器に関する。
【００１６】
添付の図面を参照しながら例としてのみ与えられる以下の説明を読むことで、他の特徴及び利点が明らかになるであろう。
【図面の簡単な説明】
【００１７】
【図１】本発明に係る計時器用ムーブメントの斜視図である。
【図２】図２ａ及び２ｂはそれぞれ、第１の調整メンバーへのエネルギーの分配を示している本発明に係る計時器用ムーブメントの平面図及び線Ａ−Ａに沿った断面図である。
【図３】図３ａ及び３ｂはそれぞれ、第１の調整メンバーと差動ギヤの間の運動学的接続を示している本発明に係る計時器用ムーブメントの平面図及び線Ｂ−Ｂに沿った断面図である。
【図４】図４ａ及び４ｂはそれぞれ、第２の調整メンバーへのエネルギーの分配を示している本発明に係る計時器用ムーブメントの平面図及び線Ｃ−Ｃに沿った断面図である。
【図５】図５ａ及び５ｂはそれぞれ、第２の調整メンバーと差動ギヤの間の運動学的接続を示している本発明に係る計時器用ムーブメントの平面図及び線Ｄ−Ｄに沿った断面図である。
【図６】図６ａ及び６ｂはそれぞれ、本発明に係る計時器用ムーブメントの差動ギヤの平面図及び線Ｅ−Ｅに沿った断面図である。
【図７】図７ａ〜７ｃは、本発明に係る計時器用ムーブメントの２つの調整メンバーの１つの動作を停止して許可する手段を示している。
【発明を実施するための形態】
【００１８】
以下、図１、２ａ、２ｂ、３ａ、３ｂ、４ａ、４ｂ、５ａ、５ｂ、６ａ、６ｂ、７ａ、７ｂ及び７ｃをともに参照しながら本発明に係る計時器用ムーブメントについて説明する。
【００１９】
本発明に係るムーブメントは、第１の列によって第１のエネルギー源に接続される第１の調整メンバーと第１のエスケープと、第２の列によって第２のエネルギー源に接続される第２の調整メンバーと第２のエスケープと、少なくとも１つの差動ギヤと、及び現在時刻を表示する手段とを有し、前記第１の列、前記第１のエスケープ、前記第１の調整メンバー及び前記第１のエネルギー源が、第１のアセンブリーを定め、前記第２の列、前記第２のエスケープ、前記第２の調整メンバー及び前記第２のエネルギー源が、第２のアセンブリーを定め、前記少なくとも１つの差動ギヤは、前記第１のアセンブリーと前記第２のアセンブリーの間の運動学的接続を確実にするように設けられる。
【００２０】
また、当該計時器用ムーブメントは、２つの前記調整メンバーの１つの動作を停止して許可する手段を有し、前記差動ギヤは、どの調整メンバーが動作していても時刻を表示するために時刻表示手段を担持している。
【００２１】
調整メンバーは、伝統的なバランス、カルーセル（karussel）、トゥールビヨン、共振器（例、音叉タイプや磁性ロータータイプのもの）、モーター駆動のバランス、又は水晶発振器から選ぶことができる。
【００２２】
以下、わかりやすくするために、それぞれがエスケープを備える少なくとも２つの調整メンバーを有するような本発明に係るムーブメントについて説明する。これは、単純な説明用の例として与えられるものであって、これに限定されない。上記のように、任意のタイプの調整メンバーを用いることができ、また、例えば、トゥールビヨン／水晶発振器の組み合わせを想到することができる。
【００２３】
図１を参照すると、本発明に係る計時器用ムーブメントは、特に、
−  バレルのような第１の機械的エネルギー源１と第２の機械的エネルギー源５と、
−  第１の列１０によってエネルギー源１に接続される第１のエスケープ車２１と第１のパレットレバー２２を有する、好ましくは高精度である第１の調整メンバー２と、第１のエスケープと、
−  第２の列３０によってエネルギー源１に接続される第２のエスケープ車３１と第２のパレットレバー３２を有する、好ましくはエネルギー消費が低い第２の調整メンバー３と、第２のエスケープと、
−  差動ギヤ４とを有し、
第１のエスケープ、バレル１、第１の列２０及び第１の調整メンバー２は、第１のアセンブリーを形成し、第２のエスケープと第２の調整メンバー３が、第２のアセンブリーを形成し、前記差動ギヤ４は、第１のアセンブリーと第２のアセンブリーの間の運動学的接続を確実にするように設けられ、前記差動ギヤ４は、第１の列２０と第２の列３０によって第１の調整メンバー２と第２の調整メンバー３にそれぞれ接続されている。
【００２４】
図面に示した実施形態において、調整メンバー２及び３はそれぞれ、トゥールビヨン及び単純なばね仕掛けバランスであるが、当業者であれば、２つの単純なばね仕掛けバランス、２つのトゥールビヨン、２つのカルーセル、又は一方にトゥールビヨンを他方にカルーセルを用いることができる。同様に、図示した第１及び第２のエスケープは、スイス式レバーエスケープであるが、デテントエスケープ（detent escapement）や既知の他のタイプのエスケープのような別のタイプのものであることもできる。
【００２５】
図示していない本発明の別の態様によると、調整メンバー２及び３は、水晶共振器に関連づけられた伝統的なばね仕掛けバランス、又は水晶発振器に関連づけられたトゥールビヨン、又は当業者によって思い描くことができる前記調整メンバーの２つの他の組み合わせであることができる。
【００２６】
このようにして、図示した実施形態において、第１の調整メンバー２としてトゥールビヨンが用いられ、第２の調整メンバー３は、１Ｈｚのバランスのようなエネルギー消費が低い単純なバランスである。
【００２７】
図６ａ及び６ｂにおいて観察することができるように、差動ギヤ４は、当該アーバー４０の第１の端において時刻表示手段６を担持しているアーバー４０を有し、アーバー４０の他端の近くにある惑星車キャリヤー４２を有する。好ましいことに、惑星車キャリヤー４２は、アーバー４０と一体化されている。
【００２８】
差動ギヤ１８とエネルギー源１の間のいくつかの車セットをムーブメントが有することができることは明らかである。
【００２９】
惑星車キャリヤー４２は、アーバー４０と平行な惑星車キャリヤーアーバー４４を有しており、その惑星車キャリヤーアーバー４４上には２つの惑星ピニオンが回転可能にマウントされている。図示した実施形態において、下側惑星ピニオン４５と呼ぶ第１の惑星ピニオン及び上側惑星ピニオン４６と呼ぶ第２の惑星ピニオンは、惑星車キャリヤーアーバー４４に一体的かつ同軸にマウントされるように構成している。
【００３０】
また、応力分配が良好であることを確実にするために、例えば、２つや３つの、いくつかの惑星ピニオン（又はいくつかのダブル惑星車）を設けることができる。
【００３１】
差動ギヤ４は、さらに、外側歯列と内側歯列がある第１の入力車４８と、及び外側歯列がある第２の入力車４９とを有し、この第１の入力車４８と第２の入力車４９はそれぞれ、アーバー４０のまわりを自由回転するようにマウントされている。
【００３２】
例えば、第１の入力車４８は、パイプなどによって、惑星車キャリヤー４２の下にてアーバー４０のまわりを自由回転するようにマウントされたプレート４３にマウントされる。プレート４３と第１の入力車４８は、入力車４８の外側歯列が第１の列２０と噛み合っているときに第１の入力車４８の内側歯列が惑星歯列４５と噛み合うように、惑星車キャリヤー４２よりも大きな直径を有している。
【００３３】
また、差動ギヤ４は、第２の入力車４９の下であって第２の入力車４９と一体化されるように、アーバー４０のまわりにマウントされた伝達車４７を有する。伝達車４７は、第２の入力車４９が第２の列３０と噛み合っているときに、上側惑星ピニオン４６の歯列によって噛み合うように意図された外側歯列を有している。
【００３４】
この差動ギヤ４は、説明用として記載したものであって、これに限定されず、当業者であれば、計時器用ムーブメントの適切な動作を達成するために他のタイプの差動ギヤを明らかに実装することができるであろう。
【００３５】
図２ａ及び２ｂに、第１の調整メンバー２へのエネルギーの分配を示している。バレル１からのエネルギー又は駆動力が、第１の列２０に伝達され、エスケープ２１を介して第１の調整メンバー２に達する。
【００３６】
同様に、図４ａ及び４ｂに、第２の調整メンバー３へのエネルギーの分配を示している。バレル５からのエネルギーが、第２の列３０に伝達され、エスケープ３１を介して第２の調整メンバー３に達する。
【００３７】
図３ａ、３ｂ及び５ａ、５ｂはそれぞれ、現在時刻を表示するための第１の調整メンバー２と差動ギヤ４の間の運動学的接続及び第２の調整メンバー３と差動ギヤ４の間の運動学的接続を示している。
【００３８】
本発明によると、計時器用ムーブメントは、さらに、ユーザーが腕時計を着用していないときに、調整メンバーの１つ、好ましくは、エネルギー消費が最も高いメンバー、の動作を停止して許可する手段を有する。図示した場合において、腕時計が着用されていないときに停止されるのはトゥールビヨンである。
【００３９】
図７ａ〜７ｃに、調整メンバーの１つの動作を停止して許可する手段を示しており、これは、例えば、回転錘及びプッシャーと連係するように構成している。
【００４０】
第１の列２０の停止、したがって、図示した場合においてはトゥールビヨンの停止は、プッシャー９を用いる場合のようなマニュアル制御によって達成され、これによって、第１の列２０をロックし、伝統的なばね仕掛けバランスに接続された第２の列３０を解放する。これは、腕時計が着用されると停止される。
【００４１】
トゥールビヨン２を停止して伝統的なばね仕掛けバランス３を開始させるために、と、ユーザーは、プッシャー９を押したり、又は腕時計をその安静位置に配置、特に、ケース中間部の縁部を付けて配置する位置、に配置したりして、プッシャー９が支持体に対向するように配置されるようにして、プッシャー９が腕時計の重量の影響で押されて、ここではトゥールビヨン２である大きなエネルギーを用いる調整メンバーを停止する。
【００４２】
特に、調整メンバーの１つの動作の停止と許可をする手段は、プッシャー９によって制御される第１のレバー７４を有し、この第１のレバー７４は、２つの摩擦メンバー７１、７２を備える第２のレバー７０に作用し、摩擦メンバー７１、７２のそれぞれは、細長材ばね７１０、７２０によってこの第２のレバーに接続しており、これによって、摩擦メンバー７１、７２の１つが第１の列２０又は第２の列３０と係り合うように動いたときの機械的な応力を抑える。第２のレバー７０は、棒体（図面において見えない）に回転可能にマウントされ、らせん形のばねによって第２の列３０のロック位置にて応力を与えられる。
【００４３】
調整メンバーの１つの動作を停止して許可する手段は、さらに、第３のレバー７３を有しており、これは、同じ棒体（図面において見えない）に回転可能にマウントされ、また、らせん形のばねによって応力を与えられる。第３のレバー７３は、一方では、プッシャー９が押されたときに第２のレバー７０のくちばし部７００と連係するように構成しているくぼみ７３０を有し、他方では、回転錘が回転しているときに回転錘と一体化された突起８０を介して回転錘８と連係するように構成しているくちばし部７３１を有する。
【００４４】
したがって、プッシャー９が押されると、第１のレバー７４は、摩擦メンバー７１が第１の列２０と係り合うように動き摩擦メンバー７２が第２の列３０を解放するように第２のレバー７０を回転させるように第２のレバー７０に作用する。そして、くちばし部７００は、第３のレバー７３にあるくぼみ７３０内に収容されるようになり、第２のレバー７０の位置をロックする。
【００４５】
くぼみ７３０からくちばし部７００を解放して、したがって、トゥールビヨン２を解放してばね仕掛けバランス３をロックするために、突起８０が第３のレバー７３のくちばし部７３１を打つために回転錘が行う回転は１回転のみでいい。このことには、第２のレバー７３のくぼみから第２のレバー７０のくちばし部７００を移動させて、したがって、第１の列２０を解放して同時に第２の列３０をロックさせるという効果がある。
【００４６】
好ましいことに、回転錘は両方向に回転することができる。
【００４７】
本発明の特定の実施形態によると、図面に示すような単純なばね仕掛けバランスであるエネルギー消費が低い調整メンバーを、例えば、３０°傾けて、ムーブメント／腕時計が安静位置にあるときに、その調整メンバーの動作を最適化してエラーを抑えることができる。
【００４８】
上記のように、エネルギーを節約するために、ユーザーが腕時計を着用していないとき又はユーザーによって必要に応じて、当該機構を停止させて、他のすべてのタイプのエスケープ、例えば、標準的なスイス式レバーエスケープ、標準的なバランス、を自動的にアクチュエートさせることができる。
【００４９】
第１の調整メンバー２がバレル１によって動力供給される場合、第１の列２０は、入力車４８を介して差動ギヤ４にそのエネルギーとその回転運動を伝達する。そして、その回転運動は、入力車４８の内側歯列を介して惑星ピニオン４５に伝達される。そして、惑星ピニオン４５は、ピニオンキャリヤー４２とアーバー４０を回転駆動する。
【００５０】
最後に、アーバー４０は、現在時刻表示手段６、特に、アーバー４０に固定マウントされた管６０、を回転駆動する。管６０は、分を示すために針を担持していることができる。また、現在時刻表示手段６は、第２の管６１を有しており、これは、時を示すために、第１の管６０に回転可能にマウントされており、列６２、６３によって噛み合っている。
【００５１】
本発明のこれらの異なる態様の結果、ムーブメントのパワーリザーブを延長させることができる単純な設計のムーブメントが提供される。
【００５２】
もちろん、本発明は、図示した例に限定されず、当業者が思い描くような様々な態様及び変更が可能である。
【符号の説明】
【００５３】
１  第１のエネルギー源
２  第１の調整メンバー
３  第２の調整メンバー
４  差動ギヤ
５  第２のエネルギー源
８  回転錘
９  プッシャー
２０  第１の列
３０  第２の列
３１  第２のエスケープ車
３２  第２のパレットレバー
４２  ピニオンキャリヤー
４３  プレート
４５  下側惑星ピニオン
４６  上側惑星ピニオン
４７  伝達車
４８  第１の入力車
４９  第２の入力車
６０  第１の管
６１  第２の管
７０  第２のレバー
７１、７２  摩擦メンバー
７３  第３のレバー
７４  第１のレバー
８０  突起
１００  計時器用ムーブメント
７００、７３１  くちばし部
７３０  くぼみ
【図１】
2018173402.tif 000003
【図２】
2018173402.tif 000004
【図３】
2018173402.tif 000005
【図４】
2018173402.tif 000006
【図５】
2018173402.tif 000007
【図６】
2018173402.tif 000008
【図７】
2018173402.tif 000009